(57)【要約】【課題】外径も大きくならず、かつ、後段に接続される複数のスピーカから出力される音の歪みを少なくすることができる周波数分割装置に用いられるチョークコイルを提供する。【解決手段】オーディオ信号の入力端子と複数のスピーカとの間に設けられる周波数分割装置内に備えられるチョークコイルとして、断面が略真四角の真四角線１２を巻回して、構成したものを用いている。さらに、チョークコイルにおいて、真四角線１２は、直径方向Ｙ２に積層され、かつ、隣接する層同士の、そのチョークコイルの軸方向Ｙ１における真四角線１２の位置が異なるように、巻回されている。【選択図】      図４
2004186569.tif 000002
【特許請求の範囲】
【請求項１】
オーディオ信号の入力端子と複数のスピーカとの間に設けられる周波数分割装置に用いられるチョークコイルであって、
断面が略真四角の導線が巻回されて、構成されていることを特徴とするチョークコイル。
【請求項２】
請求項１記載のチョークコイルであって、
前記断面略真四角の導線は、当該チョークコイルの直径方向に積層されて、巻回されることを特徴とするチョークコイル。
【請求項３】
請求項２記載のチョークコイルであって、
隣接する前記層同士の、当該チョークコイルの軸方向における導線位置が異なるように、巻回されていることを特徴とするチョークコイル。
【請求項４】
断面が略真四角の導線が巻回されて、構成されたチョークコイルであって、
前記断面略真四角の導線は、当該直径方向に積層され、かつ、隣接する層同士の、当該チョークコイルの軸方向における導線位置が異なるように、巻回されていることを特徴とするチョークコイル。
【請求項５】
請求項１〜４何れか１項記載のチョークコイルであって、
前記断面真四角の一辺の長さと一致する厚みを有し、かつ、表裏面が互いに平行な導電性のシート材を、前記表裏面に直交する方向に、かつ、前記一辺の長さに一致する幅で切断することにより、製造されたことを特徴とするチョークコイル。
【請求項６】
オーディオ信号の入力端子と複数のスピーカとの間に設けられた周波数分割装置であって、
当該周波数分割装置内のチョークコイルは、断面が略真四角の導線が巻回されて、構成されていることを特徴とする周波数分割装置。
【発明の詳細な説明】
【０００１】
【発明の属する技術分野】
この発明は、チョークコイル及び周波数分割装置に係わり、特に、オーディオ信号の入力端子と複数のスピーカとの間に設けられる周波数分割装置に用いられるチョークコイル及び当該チョークコイルを用いた周波数分割装置に関する。
【０００２】
【従来の技術】
上述した周波数分割装置としては、例えば、特許文献１に記載されたデバイディングネットワークが提案されている。このデバイディングネットワークは、オーディオ領域を低域と高域の２つの帯域、又は、低域、中域、高域の３つの帯域など、複数の帯域に分割し、各領域に専用のスピーカを使用することで、広帯域な音響再生を可能にしたものである。
【０００３】
このようなデバイディングネットワークにおいて、オーディオ領域を分割するために、チョークコイルから構成されるフィルタが用いられる。そして、このチョークコイルの導線としては、断面円形の丸線が用いられるのが一般的であった。しかしながら、このような丸線が巻回されたチョークコイルを用いると、図１に示すように、隣り合った丸線１０間に隙間Ｇができてしまう。このため、巻線空間が大きくなり、チョークコイルの外径が大きくなってしまうという問題があった。
【０００４】
また、丸線１０が巻回されたチョークコイルは、導線間の密着も極めて少ないため、自己共振の影響を受けやすく、大きく振動してしまうことがある。このようなチョークコイルをデバイディングネットワークに用いると、このチョークコイルの振動がスピーカにまで伝わってしまい、スピーカから発生する音に歪みが生じてしまうという問題があった。
【０００５】
そこで、例えば、特許文献２や特許文献３に示すような導体形状がシート状となる平角線材が導線として巻回されたチョークコイルをデバイディングネットワークに用いることが考えられる。特許文献２、３には、図２（ａ）に示すように、平角線材１１のシート面とチョークコイルの軸方向Ｙ１とが垂直になるように平角線材１１が巻回されている。このような、チョークコイルによれば、図２（ｂ）に示すように、隣り合った平角線材１１間に隙間などができず、巻線空間も大きくならない。そして、これに伴って、チョークコイルの外径も大きくならずに済む。
【０００６】
しかしながら、平角線材１１を用いたチョークコイルの場合、平角線材１１の外周側と内周側との伸びが異なる。この外周側と内周側との伸びの違いは、平角線材１１の断面積を大きくして、チョークコイルの直流抵抗を低くするために、平角線材の幅Ｗを大きくするに従って、大きくなる。このため、平角線の外周側に亀裂が入ったり、平角線が変形してしまい、絶縁性や密着性が損なわれてしまう。
【０００７】
【特許文献１】
特開平８−３３０９４号公報
【特許文献２】
特開２００１−８５２３２公報
【特許文献３】
特開２００１−９３７５７公報
【０００８】
【発明が解決しようとする課題】
本発明が解決しようとする課題には、上記した問題が一例として挙げられる。
【０００９】
【課題を解決するための手段】
上記課題を解決するためになされた請求項１記載の発明は、オーディオ信号の入力端子と複数のスピーカとの間に設けられる周波数分割装置に用いられるチョークコイルであって、断面が略真四角の導線が巻回されて、構成されていることを特徴とするチョークコイルに存する。
【００１０】
請求項４記載の発明は、断面が略真四角の導線が巻回されて、構成されたチョークコイルであって、前記断面略真四角の導線は、当該直径方向に積層され、かつ、隣接する層同士の、当該チョークコイルの軸方向における導線位置が異なるように、巻回されていることを特徴とするチョークコイルに存する。
【００１１】
請求項６記載の発明は、オーディオ信号の入力端子と複数のスピーカとの間に設けられた周波数分割装置であって、当該周波数分割装置内のチョークコイルは、断面が略真四角の導線が巻回されて、構成されていることを特徴とする周波数分割装置に存する。
【００１２】
【発明の実施の形態】
実施の形態
この発明のチョークコイルは、オーディオ信号の入力端子と複数のスピーカとの間に設けられる周波数分割装置に用いられるチョークコイルであって、断面が略真四角の導線が巻回されて、構成されている。
【００１３】
また、この発明の周波数分割装置は、オーディオ信号の入力端子と複数のスピーカとの間に設けられた周波数分割装置であって、当該周波数分割装置内のチョークコイルは、断面が略真四角の導線が巻回されて、構成されている。
【００１４】
上記構成のチョークコイル及び周波数分割装置によれば、丸線を巻回したチョークコイルと比べ、巻線空間を小さくすることができ、チョークコイルの外径を小さくすることができる。また、丸線に比べて導線間の密着性も向上するため、自己共振の影響が受けにくく、振動しにくい。このため、スピーカから出力される音の歪みを少なくすることができる。
【００１５】
しかも、同一断面積の平角線を巻回したチョークコイルに比べて、巻回された導線の内周側と外周側との伸びの違いも小さくでき、導線に亀裂が入ったり、変形してしまうことを防ぐことができる。このため、導線の密着性が損なわれることがない。以上のことから、平角線に比べても、自己共振の影響が受けにくく、スピーカから出力される音の歪みを少なくすることができる。
【００１６】
また、上述したチョークコイルにおいて、断面略真四角の導線を、そのチョークコイルの直径方向に積層して、巻回することも考えられる。
【００１７】
さらに、隣接する上述した層同士の、チョークコイルの軸方向における導線位置が異なるように、巻回することも考えられる。
【００１８】
また、この発明のチョークコイルは、断面が略真四角の導線が巻回されて、構成されたチョークコイルであって、断面略真四角の導線は、その直径方向に積層され、かつ、隣接する層同士の、そのチョークコイルの軸方向における導線位置が異なるように、巻回されている。
【００１９】
上記構成のチョークコイルによれば、隣接する層同士の接触面のズレを防止することができ、自己共振の影響を受けにくく、振動しにくい。従って、上記構成のチョークコイルを周波数分割装置に用いれば、スピーカから出力される音の歪みを少なくすることができる。
【００２０】
さらに、上述したチョークコイルに用いられる断面真四角の導線は、断面真四角の一辺と一致する厚みを有し、かつ、表裏面が互いに平行な導電性のシート材を、表裏面に直交する方向に、かつ、一辺に一致する幅で切断することにより、製造されたものでも良い。
【００２１】
実施例
以下、本発明の一実施の形態を図面に基づいて説明する。
図３は、本発明の周波数分割装置としてのデバイディングネットワークの一実施の形態を示す回路図である。図４は、図３のローパスフィルタＦ１及びハイパスフィルタＦ２を構成するチョークコイルの正面図及び断面図である。
図３に示すように、デバイディングネットワーク１００は、オーディオ信号が入力される入力端子Ｔと、低音スピーカＳＰ１及び高音スピーカＳＰ２（請求項中の複数のスピーカに相当）との間に設けられる。
【００２２】
デバイディングネットワーク１００内部は、入力端子Ｔと低音スピーカＳＰ１との間に接続されるローパスフィルタＦ１と、入力端子Ｔと高温スピーカＳＰ２との間に接続されるハイパスフィルタＦ２とを備えている。
【００２３】
上記ローパスフィルタＦ１は、低音スピーカＳＰ１に対応した低域成分を通過帯域としたフィルタであり、ハイパスフィルタＦ１は、高音スピーカＳＰ２に対応した高域成分を通過帯域としたフィルタである。以上の構成により、オーディオ信号を低域と高域の２つの帯域に分割し、各領域に専用のスピーカを使用することができる。なお、図３では、オーディオ信号を２つの帯域に分割する例を示しているが、例えば、低域、中域、高域の３つの帯域、又はそれ以上の帯域に分割することも考えられる。
【００２４】
上述したローパス及びハイパスフィルタＦ１、Ｆ２に用いられるチョークコイルとしては、図４に示すように、断面略真四角、言い換えると、断面略正方形の真四角線１２が巻回されたものを用いている。
【００２５】
以上のように、真四角線１２を用いることにより、丸線を巻回したチョークコイルと比べ、巻線空間を小さくすることができ、チョークコイルの外径を小さくすることができる。また、丸線に比べて導線間の密着性も向上するため、自己共振の影響が受けにくく、振動しにくい。このため、低音及び高音スピーカＳＰ１、ＳＰ２から出力される音の歪みを少なくすることができる。
【００２６】
また、同一断面積の平角線を巻回したチョークコイルに比べて、巻回された真四角線１２の内周側と外周側との伸びの違いも小さくでき、真四角線１２に亀裂が入ったり、変形してしまうことを防ぐことができる。このため、真四角線１２の密着性が損なわれることがない。
【００２７】
また、上述した断面略真四角の真四角線１２であれば、図４（ｂ）に示すように、直径方向Ｙ２にも簡単に積層して、巻回することもできる。このため、真四角線１２間の接触面積が大きくなり、構造的な強度が高くなり、自己共振の影響を受けにくい。しかも、同一巻数の平角線を巻回したチョークコイルに比べて、コイルの軸方向Ｙ１の長さを短くすることができる。
【００２８】
さらに、この真四角線１２は、図４（ｂ）に示すように、チョークコイルの直径方向Ｙ２に積層され、かつ、隣接する層同士の、チョークコイルの軸方向Ｙ１における真四角線１２の位置が異なるように、巻回されている。このため、隣接する層同士の接触面のズレを防止することができ、より一層、自己共振の影響を受けにくくなる。
【００２９】
また、上述した真四角線１２は、図５に示すように、断面真四角の一辺の長さＴ（図４（ｂ）参照）と一致する厚みＴを有し、かつ、表裏面が互いに平行な導電性のシート材２０を、ラインＬ１〜Ｌｎの各々で切断して製造したものである。上記ラインＬ１〜Ｌｎの各間隔はＴであり、ラインＬ１〜Ｌｎの各方向は、シート材２０の表裏面に直交する方向に一致する。
【００３０】
なお、上述した実施例では、隣接する層同士の軸方向Ｙ１における真四角線１２の位置が異なるように、巻回されていた。しかしながら、例えば、図６に示すように、隣接する層同士のその軸方向Ｙ１における真四角線１２の位置が同じになるように、巻回することも考えられる。
【００３１】
以上実施例に基づいて本発明を説明したが、本発明は上述した実施例に限定されるものではなく、本発明の要旨の範囲内で種々の変形や応用が可能である。ここで、実施例の要旨をまとめると以下のようになる。
上記実施例に示すチョークコイルは、要するに、オーディオ信号の入力端子Ｔと低音、高音スピーカＳＰ１、ＳＰ２との間に設けられるデバイディングネットワーク１００に用いられるチョークコイルであって、
断面が略真四角の真四角線１２が巻回されて、構成されていることを特徴とするチョークコイルである。
【００３２】
また、実施例に示すデバイディングネットワークは、要するに、オーディオ信号の入力端子Ｔと低音、高音スピーカＳＰ１、ＳＰ２との間に設けられたデバイディングネットワーク１００であって、
そのデバイディングネットワーク１００内のチョークコイルは、断面が略真四角の真四角線１２が巻回されて、構成されていることを特徴とするデバイディングネットワーク１００である。
【００３３】
上記構成のチョークコイル及びデバイディングネットワーク１００によれば、丸線を巻回したチョークコイルと比べ、巻線空間を小さくすることができ、チョークコイルの外径を小さくすることができる。また、丸線に比べて導線間の密着性も向上するため、自己共振の影響が受けにくく、振動しにくい。このため、スピーカから出力される音の歪みを少なくすることができる。
【００３４】
しかも、同一断面積の平角線を巻回したチョークコイルに比べて、巻回された導線の内周側と外周側との伸びの違いも小さくでき、導線に亀裂が入ったり、変形してしまうことを防ぐことができる。このため、導線の密着性が損なわれることがない。以上のことから、平角線に比べても、自己共振の影響が受けにくく、低音、高音スピーカＳＰ１、ＳＰ２から出力される音の歪みを少なくすることができる。
【００３５】
また、この実施例のチョークコイルは、断面が略真四角の真四角線１２が巻回されて、構成されたチョークコイルであって、断面略真四角の真四角線１２は、チョークコイルの直径方向Ｙ２に積層され、かつ、隣接する層同士の、チョークコイルの軸方向における導線位置が異なるように、巻回されている。
【００３６】
上記構成のチョークコイルによれば、隣接する層同士の接触面のズレを防止することができ、自己共振の影響を受けにくく、振動しにくい。従って、上記構成のチョークコイルをデバイディングネットワーク１００に用いれば、低音、高音スピーカＳＰ１、ＳＰ２から出力される音の歪みを少なくすることができる。
【００３７】
【図面の簡単な説明】
【図１】従来の丸線１０を巻回したチョークコイルの断面図である。
【図２】従来の平角線１１を巻回したチョークコイルの正面図及び断面図である。
【図３】本発明の周波数分割装置としてのデバイディングネットワーク１００の一実施の形態を示す回路図である。
【図４】図３のローパスフィルタＦ１及びハイパスフィルタＦ２を構成するチョークコイルの正面図及び断面図である。
【図５】真四角線１２の製造方法を説明するための図である。
【図６】他の実施例におけるチョークコイルの断面図である。
【符号の説明】
Ｔ      入力端子
ＳＰ１  低音スピーカ（スピーカ）
ＳＰ２  高音スピーカ（スピーカ）
１００  デバイディングネットワーク（周波数分割装置）
１２    真四角線（断面略真四角の導線）
Ｙ１    軸方向
Ｙ２    直径方向
【図１】
2004186569.tif 000003
【図２】
2004186569.tif 000004
【図３】
2004186569.tif 000005
【図４】
2004186569.tif 000006
【図５】
2004186569.tif 000007
【図６】
2004186569.tif 000008